(57)【要約】【課題】扉用のプッシュプル錠における内部の構成要素をシンプル化して動作の確実性とコストの削減を実現可能にする。【解決手段】ケース１１２内で直動可能な直動悍１２２の先端に取着され、突出ラッチ位置へ常時付勢力を受け、その突出ラッチ位置で扉側のストライク金具に係合して扉を施錠し、開錠操作でケース１１２内へ後退、開錠するラッチ１１０を備えたラッチ機構１２０を有し、扉ハンドル９０のプッシュプル動作に応動して中立位置から互に異なる二方向の何れか一方へ摺動変位可能なスライドベース１４０を設け、その二方向何れのスライド移動でも揺動する揺動カム１５０の係合端１５３に係合した回動性のラッチカム１６０を経てばね力に抗して直動悍１２２を直動させてラッチ１１０を開錠位置へ後退させ、戻りばね作用でラッチ位置へ復帰するプッシュプル錠１１０を構成した。【選択図】図１
2005336958.tif 000002
【特許請求の範囲】
【請求項１】
ケース内で直動可能に設けられた直動悍と、該悍先端に取着されかつ該直動悍を介して突出ラッチ位置へ常時付勢力を受けるとともに、その突出ラッチ位置で扉枠側のストライク金具に係合して扉を施錠し、開錠操作に従って前記突出ラッチ位置から前記ケース内へ後退、開錠可能なラッチとを有したラッチ機構と、扉ハンドルのプッシュプル動作に応動して前記ラッチ機構の直動悍を介して前記ラッチの後退を起動する開錠作動機構とを具備してなる扉用のプッシュプル錠において、前記開錠作動機構は、
所定の中立位置から相互に異なる二方向の何れか一方へスライド移動可能に設けられ前記扉ハンドルとの係合部を有して該ハンドルのプッシュプル動作に応動するスライドベースと、
該スライドベースの前記二方向のスライド移動毎に支点周りに揺動するように設けられると共に先端を係合端とする揺動カムと、
前記揺動カムの係合端に係合された一端と前記ラッチ機構の直動悍に係合された他端とを有するとともにそれら両端の間の選定位置に回動支点を有し、前記スライドベースが前記所定の中立位置から何れか一方方向へ移動するに従って前記直動悍を介して前記ラッチの後退を起動する所定方向へ回動するラッチカムと、
前記ラッチカムの前記一端側に近い位置に一端を当接して該ラッチカムを前記所定の回動方向の反方向へ回動付勢するハンドルばねと、を具備して構成されたことを特徴とする扉用のプッシュプル錠。
【請求項２】
前記ラッチ機構は、一端を前記ケース内部壁に係止され、他端を前記直動悍に係合されて該直動悍へ前記付勢力を常時付与するラッチ付勢ばねを具備する請求項１に記載の扉用のプッシュプル錠。
【請求項３】
前記ラッチ機構の前記直動悍は、直動案内用のガイドに形成された案内孔に摺動自在に嵌合保持され、前記ガイドは、前記ケース内で前記直動悍の直動方向と一致する方向に移動自在に保持されてなり、該ガイドを介して前記開錠作動機構のラッチカムからラッチ後退を起動されるように構成された請求項１又は２に記載の扉用のプッシュプル錠。
【請求項４】
前記開錠作動機構のスライドベースは、二つの腕を有し、一方の腕先端は、前記揺動カムの前記係合端に係合し前記中立位置からの一方の方向へのスライド移動により該揺動カムを揺動させる第一のカム揺動起動端として具備し、他方の腕は、前記揺動カムの前記係合端と対向した他端に枢着され、前記中立位置からの他方の方向へのスライド移動により該揺動カムを揺動させる第二のカム揺動起動端として具備することを特徴とする請求項１から３の何れか一項に記載の扉用のプッシュプル錠。
【請求項５】
前記開錠作動機構のスライドベースが有する二つの腕は、上下に二つの平行腕として形成された請求項４に記載の扉用のプッシュプル錠。
【請求項６】
前記開錠作動機構のスライドベースは、その一部にロック受動部を有し、該ロック受動部が、前記ケース内に設けられたカム作動のロック板に設けられたロック能動部と係合したときに前記スライドベースのスライド移動が前記二方向のいずれでも阻止されるようにしたスライドロック機構を更に具備することを特徴とする請求項１から５の何れか一項に記載の扉用プッシュプル錠。
【請求項７】
扉の厚み方向における左右何れかの一端面から扉の厚み内部の空所にケースを介して装着され、扉枠に設けられたストライク金具のラッチ受けにラッチが係合して扉を閉鎖位置に維持し、扉のハンドルによるプッシュプル動作に応動して該ラッチ受けからラッチが離脱して前記ケース内に後退したとき扉を開扉可能とする扉用プッシュプル錠において、
前記ラッチを先端に保持し前記ケース内で直線移動が可能に配設された直動悍を直線方向に前記先端とは反対端側から押圧して前記ラッチを扉の閉鎖用のラッチ位置に向けて常時付勢するラッチ付勢手段と、
前記直動悍に係合されたラッチカムと、前記扉のハンドルを所定位置からプッシュ又はプル操作することに応動して前記ラッチカムを揺動させ、前記直動悍を介して前記ラッチを前記ラッチ受けから離脱、後退させて扉を開扉可能にする直線・回動変換機構を有した開錠作動手段と、
扉に設けたロック操作子の操作により前記開錠作動手段の直動・変換機構を所要に応じて不作動にして前記開錠作動手段を錠止するロック手段と、を具備したことを特徴とする扉用のプッシュプル錠。
【発明の詳細な説明】
【技術分野】
【０００１】
本発明は、扉用のプッシュプル錠に関し、特に扉の表裏二面に配置したハンドルのプッシュまたはプル動作に応動してラッチをスムースに開錠して、開扉操作を可能にするプッシュプル錠の新規構造に関する。
【背景技術】
【０００２】
扉に装着されるプッシュプル錠は、扉の内側と外側等の二表面に配置された各ハンドルを押したり引いたりするだけで扉端面においてラッチが傾倒・没入して開錠し、開扉を可能にするタイプの扉用ラッチ錠であり、手の不自由な者でも容易に扉を開閉できるようにするために開発されたが、近年では一般用としても広く使用されるようになっている。
【０００３】
斯かるプッシュプル錠は、例えば特開２００２−１２９７９６号公報に記載されている機構のものが一般に知られており、その構成および動作は以下の通りである。尚、以下の説明における上下左右は、図中の上下左右を指すものとする。
【０００４】
図４の（Ａ）、（Ｂ）、（Ｃ）を参照すると、プッシュプル錠１は、扉の厚み幅を成す左端面又は右端面に相当する側端面から扉内部に設けた空所に挿入、取着されるケーシング１０を有し、そのケーシング１０の内部に、施錠時に扉枠側の受け具となるストライク金具（図示なし）に係合するラッチ２１を突出・没入させるラッチ作動機構２０と、そのラッチ２１が突出状態で固定されるラッチの扉施錠状態、つまりロック状態をハンドルのプッシュ又はプル操作に応じてさせる開錠作動機構３０とを備えている。
【０００５】
ラッチ作動機構２０は、ラッチ２１が軸支されたラッチ基部２２Ｂの底面に、ばね部材２７でラッチ２１の突出方向に付勢されたロッド部材２３が、その小径部２３ｂにおける先端部を嵌入された状態で設けられており、このロッド部材２３上に可動ストッパ２６が設けられたストッパベース２４が摺動可能に配置されている。開錠作動機構３０は、扉面上における図示にないハンドルのプッシュ操作またはプル操作による操作桿の動きを、連結部を介して図示しない水平桿の動きでスライド移動するスライドベース３１を有しており、このスライドベース３１の移動により揺動ポイント３２の筒状部３２ａをスライドベース３１の凹所から押し上げて、ラッチ作動機構２０のストッパベース２４に設けられた可動ストッパ２６を動かして、ラッチ２１のロック状態を解除させるようになっている。
【０００６】
図４の（Ａ）は、ラッチ２１が図示しない扉枠側のストライク金具に係合、受承された位置でロックされた状態（施錠状態）を示しており、開錠作動機構３０における揺動ポイント３２はその先端筒状部３２ａの一部がスライドベース３１の凹部３５に係入しており、ストッパベース２４に上下に摺動可能に設けられた可動ストッパ２６が下降位置にあって、その一部分がロッド部材２３の大径部２３ａの先端側端部に係止されている。このため、傾倒可能に軸支されたラッチ２１の底面とストッパベース２４先端面との間にラッチ基部２２を介して架設されているロックピン２１ａを介して、ラッチ２１が傾倒しないロック状態となっている。また、ラッチ２１が傾倒しないことから、開扉方向に向けて扉に力が加えられてもストライク金具との当接面が、この力の方向に対して直角に維持されており、ラッチ２１が没入方向に付勢されないこととなり、このため開錠されないようになっている。
【０００７】
そして、開錠作動機構３０のスライドベース３１が、ハンドル操作に応動して図示しない水平桿で右方向に移動してラッチ２１がロック解除となる（図４の（Ｂ））。即ち、スライドベース３１が移動することにより、その凹部３５から揺動ポイント３２の筒状部３２ａが脱出し、アーム３２ｂの上面が上方に移動して、可動ストッパ２６を押し上げることにより、ロッド部材２３の大径部２３ａとの係止が外れてロック解除状態となる。この状態で扉を動かす作動力が加えられることにより、ラッチ２１が傾倒しながらロックピン２１ａを介してストッパベース２４をロッド部材２３上で右方向に移動させる。
【０００８】
そして、ラッチ２１が傾倒してストライク金具に係合、受承されていた側面が傾斜状態でさらに扉が動かされると、ラッチ２１はケーシング内に向けて完全に没入して開錠され、扉が開くようになる（図４の（Ｃ））。このように、プッシュプル錠１は、扉の二表面に配置されたハンドルのプッシュまたはプル動作を開錠作動機構３０に設けたスライドベース３１の水平移動に変換することにより、可動ストッパ２６を起動してロック解除を行うものである。なお、カム４０、このカム４０の回動に応じて上下する係止板４１、その係止板４１に形成した凹所４２を備え、該係止板４１の凹所４２を中立位置にあるスライドベース３１の内端に設けた突起３１aに係合させるとスライドベース３１の摺動変位を阻止して開錠作動機構３０を作動不可状態にすることができる開錠ロック機構４３が備えられており、この開錠ロック機構４３の上記カム４０は扉面に設けた操作レバー（図示なし）によって回転変位させ得るように形成されている。
【０００９】
しかしながら、上述したラッチ作動機構２０、開錠作動機構３０を用いたプッシュプル錠による開扉操作機構においては、揺動ポイント３２によって駆動されて移動する可動ストッパ２６の動作が、ロッド部材２３の中心軸線に対して直角な縦の直線移動であってこれをロック位置からロック解除位置まで移動させるために必要とされる動作幅と同等の幅寸法だけアーム３２ｂを移動させる必要がある。従って、スライドベース３１の凹部３５の深さは、その動作幅と同等以上の深さ寸法に設定され、これに係入した可動ストッパ２６を脱出させるスライドベース３１の横移動幅もこれと同等以上に設定されていることを要する。
【００１０】
従って、スライドベース３１を移動させるハンドル操作には、可動ストッパ２６の動作幅と同等以上のスライドベース３１の移動幅を発生させる動作量が必要とされる。また、ラッチ２１を傾倒させるのに、これをストライク金具に向けて付勢している強力なばね部材２７に抗して、ストッパベース２４を移動させる力が必要とされ、扉のハンドル操作に比較的大きな力を必要として扉開閉操作における円滑性、簡便性に欠けるきらいが有る。
さらに、ラッチ作動機構２０のストッパベース２４は、微少な部品である可動ストッパ２６およびストッパばね２４ｂ等を内蔵構造で有し、構成が微細かつ複雑であるため、これを備えたプッシュプル錠は、コスト高となりやすく、また耐久性にも問題を生じ易い。
【特許文献１】特開２００２−１２９７９６号公報
【発明の開示】
【発明が解決しようとする課題】
【００１１】
依って本発明は、扉用のプッシュプル錠において、扉の内側、外側の二表面に設けたハンドルによる比較的微小量のプッシュ操作またはプル操作に応動して扉のストライク金具に係合され、扉を閉扉状態に錠止するラッチをスムースに開錠動作させて扉の開扉を行い得るシンプルな内部機構により動作の確実性とコストの削減を実現可能にする扉用ラッチ錠を提供せんとするものである。
本発明はまた、堅牢な構造を有し部品点数を極力低減させ、小さな作動力かつ小さな動作量でも容易に開錠できるようにする扉用ラッチ錠を提供せんとするものである。
【課題を解決するための手段】
【００１２】
すなわち、本発明によれば、一つのケース内で直動可能に設けられた直動悍と、該悍先端に取着されかつ同直動悍を介して突出ラッチ位置へ常時付勢力を受けるとともに、その突出ラッチ位置で扉枠側のストライク金具に係合して扉を施錠し、開錠操作に従って上記突出ラッチ位置からケース内へ後退、開錠可能なラッチとを有したラッチ機構と、扉ハンドルのプッシュプル動作に応動して上述のラッチ機構の直動悍を介してラッチの後退を起動する開錠作動機構とを具備した扉用のプッシュプル錠において、上記開錠作動機構は、
所定の中立位置から相互に異なる二方向の何れか一方へスライド移動可能に設けられ上記扉ハンドルとの係合部を有して該ハンドルのプッシュプル動作に応動するスライドベースと、
そのスライドベースの二方向のスライド移動毎に支点周りに揺動するように設けられると共に先端を係合端とする揺動カムと、
同揺動カムの係合端に係合された一端と上記ラッチ機構の直動悍に係合された他端とを有するとともにそれら両端の間の選定位置に回動支点を有し、上記スライドベースが上記所定の中立位置から何れか一方方向へ移動するに従って直動悍を介してラッチの後退を起動する所定方向へ回動するラッチカムと、
同ラッチカムの上記一端側に近い位置に一端を当接して該ラッチカムを上記所定の回動方向の反方向へ回動付勢するハンドルばねと、を具備して構成された扉用のプッシュプル錠が提供される。
【００１３】
このように構成された扉用のプッシュプル錠は、扉表面に設けられたハンドルをプッシュ操作又はプル操作することに応動する開錠作動機構のスライドベースがその予め設定された中立位置においてラッチ機構のラッチはストライク金具の係合孔に係合したラッチ位置に在り、スライドベースがその中立位置から互いに反対向きの二方向のどちら向きに移動してもラッチを有した直動悍は一義的に一方向へラッチ付勢力に抗して直動し、故にラッチがケース内部に向けて後退動作されることになる。従って、このプッシュプル錠は、開扉操作する人がハンドルをプッシュ操作してもプル操作してもラッチを後退、開錠できる。しかも、このようにプッシュプル操作の両者に対応できる点は、開扉を内側へ引いて開扉操作する扉構造の場合でも扉を外側へ押して開扉操作する扉構造の場合でも部品交換を要することなしにプッシュプル錠を適用対処可能であることを意味し、一つのプッシュプル錠を多様の扉に適用させることが可能となる利点を有する。なお、ラッチカムの回動支点は、揺動カムの係合端に係合された一端とラッチ機構の直動悍に係合された他端との中間位置に設定されるが、回動支点と上記他端との間の距離を選定することで同ラッチカムの回動性と直動悍の直動ストロークとを適正量に設定することができる。
【００１４】
本発明によればまた、上記ラッチ機構は、一端をケース内部壁に係止され、他端を上記直動悍に係合されて該直動悍へ付勢力を常時付与するラッチ付勢ばねを具備した構成の扉用のプッシュプル錠を提供する。
【００１５】
このようなプッシュプル錠によれば、直動悍先端に取着したラッチをラッチ付勢ばねのばね力でラッチ位置へ付勢する構成としているから、ラッチ付勢ばねのばね強さ、ばね長さ等を適正に設定するだけで、最適のラッチ状態を得ることができる。つまり、単純な構造で、適切なラッチ能力を有した扉用のプッシュプル錠を得ることができる。
【００１６】
さらに、本発明によれば、上記ラッチ機構の直動悍は、直動案内用のガイドに形成された案内孔に摺動自在に嵌合保持され、そのガイドは、上記ケース内で直動悍の直動方向と一致する方向に移動自在に保持されてなり、該ガイドを介して上記開錠作動機構のラッチカムからラッチ後退を起動されるように構成された扉用のプッシュプル錠とすることが好ましい。
【００１７】
このような構成を有すれば、直動悍の直動、ラッチのラッチ位置からの後退動作や、ラッチ位置への復帰動作がスムースに遂行されるので、施錠、開錠操作の円滑性や故障発生率の低減効果を達成することができる。
【００１８】
更に好ましくは、本発明においては、上記開錠作動機構のスライドベースは、二つの腕を有し、一方の腕先端は、上記揺動カムの上記係合端に係合しその中立位置からの一方の方向へのスライド移動により該揺動カムを揺動させる第一のカム揺動起動端として備えられ、他方の腕は、上記揺動カムの上記係合端と対向した他端に枢着され、中立位置からの他方の方向へのスライド移動により該揺動カムを揺動させる第二のカム揺動起動端として備えられる構成とし、また上記スライドベースが有する二つの腕は二つの平行腕として形成された扉用のプッシュプル錠とする。
【００１９】
このような構成によれば、スライドベースの形状を第一、第二の二つの腕構造とすることにより、扉ハンドルのプッシュ操作、プル操作の二操作に応動した揺動カムの一義的揺動作用が得られ、プッシュプル錠の部品数低減効果と、ケース内部の構造、配置の簡単化を達成できる。
【００２０】
好ましくは、本発明によれば、上記開錠作動機構のスライドベースは、その一部にロック受動部を有し、該ロック受動部が、上記ケース内に設けられたカム作動のロック板に設けられたロック能動部と係合したときに、上記スライドベースのスライド移動が二方向のいずれの方向でも阻止されてスライド作動をロックするようにしたスライドロック機構を更に具備した扉用プッシュプル錠とする。
【００２１】
上述した構成によれば、ラッチ機構のラッチを扉のストライク金具と係合したラッチ位置に位置させた状態でカム作動のロック板のロック能動部をスライドベースの受動部に係止させる簡単な機構で、スライドベースのスライド作動を阻止し、以って開錠作動機構をロックして扉の開扉操作を無効化することができる。
【００２２】
更に、本発明によれば、扉の厚み方向における左右何れかの一端面から扉の厚み内部の空所にケースを介して装着され、扉枠に設けられたストライク金具のラッチ受けにラッチが係合して扉を閉鎖位置に維持し、扉のハンドルによるプッシュプル動作に応動して該ラッチ受けからラッチが離脱して前記ケース内に後退したとき扉を開扉可能とする扉用プッシュプル錠において、
前記ラッチを先端に保持し前記ケース内で直線移動が可能に配設された直動悍を直線方向に前記先端とは反対端側から押圧して前記ラッチを扉の閉鎖用のラッチ位置に向けて常時付勢するラッチ付勢手段と、
前記直動悍に係合されたラッチカムと、前記扉のハンドルを所定位置からプッシュ又はプル操作することに応動して前記ラッチカムを揺動させ、前記直動悍を介して前記ラッチを前記ラッチ受けから離脱、後退させて扉を開扉可能にする直線・回動変換機構を有した開錠作動手段と、
扉に設けたロック操作子の操作により前記開錠作動手段の直動・変換機構を所要に応じて不作動にして前記ラッチを前記扉の閉鎖位置にロックするロック手段と、を具備したことを特徴とする扉用のプッシュプル錠が提供される。
【００２３】
上記構成の扉用のプッシュプル錠によっても既述した構成の扉用プッシュプル錠と同様な作用、効果を得ることができる。以下に、本発明を添付図面に示す好ましい実施の形態に基づいて更に詳細に説明する。
【発明を実施するための最良の形態】
【００２４】
図１（イ）は、本発明の実施形態に係る扉用のプッシュプル錠が扉の空所に装着された場合において、そのケースの一側面の蓋板を取り外して内部における全体的な構造、配置を実線で示すスライドベースの中立位置を基本位置にして示した正面図、同図（ロ）は、そのとき、ケースの幅方向の面を成す左端面からラッチ位置へ突出したラッチの姿勢    とケースの上面又は下面を示した端面図である。
【００２５】
図１の(イ)、（ロ）を参照すると、本実施形態に係る扉用のプッシュプル錠１００は、扉の空所Vに装着される錠として形成され、例えば、箱型をしたケース１１２が上記空所Vに挿入され、適宜のねじ等により、扉の厚み方向に形成された端面に締着される構成で扉に取着される。
ここで、ケース１１２は内部に錠を形成する機械的な諸要素を内蔵し、方形または矩形形状の両側側面を蓋板で閉鎖され、また左右端面の一方の端面側から扉のストライク金具に形成されたラッチ孔に向けて突入係合、後退離反する爪機能を有したラッチ１１０を有したラッチ機構１２０が備えられている。図１の(イ)、（ロ）では、左端面側からラッチ１１０が外方に向けて突出している状態を示しており、このとき、(ロ)に示すように、ラッチ１１０は扉のストライク金具（図示なし）と衝合する傾面を有することで、円滑な後退離反が行われるようになっている。勿論、ラッチ傾斜面は、扉枠側のストライク金具の内奥に設けられるラッチ受けに円滑にラッチを突入させる機能を奏することは言うまでもない。
【００２６】
このラッチ１１０は、ケース１１２の端面、例えば図示の左端面に形成された開口１１４から突出動作、又は後退動作するもので、ケース１１２の内部の内方に向けて延在するラッチ軸としての直動悍１２２（以下、直動悍と記載する）の先端に例えば、ピン１２４で取着されており、開口１１４の内端に装着された適宜の潤滑素材等から成る消音リップで静粛に突出、後退するように配慮されている。上記直動悍１２２は、ケース１１２の側面の蓋板１１２aに形成された案内溝（図示なし）による案内規制で直動悍１２２の軸心方向に移動可能に配設されたブロック形状を有するガイドブロック１３０の略中心に設けられた案内孔１３２に摺動可能に挿設されていり、ラッチ１１０を取着した軸端側とは反対の軸端側には、悍外径より大きなフランジ部を有した間座１２６を有し、後端側へ延長している。そしてこの直動悍１２２は悍後端側においてケース１１２の右端面の内側に取り付け板などを介して取着された緩衝、消音パッド１２８に一端を着座させた押圧ばね１３４からばね付勢力を受ける構成で配設されている。つまり、その押圧ばね１３４によりラッチ１１０に対して突出方向に向けて常時、付勢力を付与する構成で配設されており、押圧ばね１３４の上記一端とは反対の他端側が悍１２２の後端側に巻設され、更に上記フランジ部を有した間座１２６の端面に着座している。
【００２７】
さて、本実施形態では、更にケース１１２の内部では、下方域にスライドベース１４０が配設されている。このスライドベース１４０は、本実施形態では、ケース１１２の内部で右端内面と左端内面との間で左右にスライド動作が可能に設けられ、常時は、図１の（イ）において実線図示した状態を中立位置にして設けられている。このスライドベース１４０は、後述のように、中立位置から左方、具体的には直動悍１２２のラッチ取着端側へ向けて延長形成された二つの腕１４２、１４４を有し、これらの腕１４２、１４４から見て後方側に扉のハンドル（図２参照）のプッシュ操作、プル操作を伝達する操作悍９５が扉側から嵌合されるハンドル連結孔１４６（図１(ロ)も参照）を更に備えている。
【００２８】
上記スライドベース１４０の二つの腕１４２、１４４は共にケース１１２の内部の下方域に支点を成すピボット軸１５２で枢着された揺動カム１５０に揺動動作を起動する起動端として具備されている。すなわち、上側の腕１４２は、その先端１４２aを揺動カム１５０の上係合部１５３に当接する第一の揺動起動端として設けられ、下側の腕１４４は、揺動カム１５０の下端域に突出、形成された結合部１５４と枢着されて同揺動カム１５０の揺動を起動する第二の揺動起動端として設けられているもので、両第一、第二の揺動起動端による揺動起動は、何れもスライドベース１４０の中立位置からの移動によって生起されるものである。
【００２９】
上記揺動カム１５０の揺動動作は、その揺動カム１５０のやや上方域に設けられたラッチカム１６０に伝達される。このラッチカム１６０は、上記揺動カム１４０と同様にケース１１２の内部で側面蓋板１１２aに短軸１６２を介して同短軸軸心周りに回動可能に設けられ、短軸１６２の下方域に上記揺動カム１５０の上係合部１５３が当接するカム従動部１６４として形成され、短軸１６２の上方域にラッチ作動部１６６を有している。
【００３０】
このラッチカム１６０の上記カム従動部１６４は、揺動カム１５０の第一揺動起動端１４２aと当接する当接面とは反対側の面から突出したばね座突起１７０に一端が着座された戻りばね１７２による押圧ばね力を常時受け、ラッチカム１６０を図１（イ）に実線で示した一定の戻り位置（直立姿勢の位置）に向けて常に付勢しており、揺動カム１５０によってラッチカム１６０を回動させる揺動カム１５０の揺動時には、上記戻りばね１７２による押圧ばね力が抵抗ばね力として作用するように設けられている。
他方、ラッチカム１６０の上記ラッチ作動部１６６は、その一端面をガイドブロック１３０のラッチ１１０に対向した端面と向き合っており、押圧ばね１３４から直動悍１２２を介して付与される押圧力（図示例では、左方への押圧力）で該端面と当接した状態を維持しながら同押圧ばね１３４の押圧力を受けることにより上記の一定戻り位置に向けて付勢されている。なお、図1（イ）、(ロ)には現れていない突起部材がケース１１２の内部空間に突出させて設けられ、故にラッチカム１６０はその中立位置からの反時計回りの過剰動作を防止される構成となっている。
【００３１】
ここで、上記のように、押圧ばね１３４、戻りばね１７２のばね力下でラッチカム１６０が直立姿勢を維持した状態のときには、直動悍１２２は押圧ばね１３４の押圧力を受けて先端側に取着したラッチ１１０を扉の左端面から突出したラッチ位置、つまり扉を錠止した位置に保持している。つまり、図１(ロ)に示すように、ラッチ１１０は、受け金具１０８の背後の受け穴１０９に突入している。そして、このような扉錠止位置（ラッチ位置）では、スライドベース１４０は、図１（イ）に実線で示した中立位置を維持しているものと理解すれば良い。
【００３２】
さて、ここで図２を参照すると、上述した本発明の実施形態に係る扉用プッシュプル錠１００のケース１１２内における諸構成要素の分解斜視図が示されており、同図２から、夫々の本プッシュプル錠１００が比較的廉価に製造可能な少数の機械的要素で形成されていることが理解できよう。そして、同図には、扉のハンドル９０が図示されており、このハンドル９０によってプッシュ操作又はプル操作を人が行う際に手で把持する把手部９２から見て先端側の部分にフランジ９４の内端面から前方へ操作悍９５が突出している。この操作悍９５が既述したプッシュプル錠１００のスライドベース１４０に形成されたハンドル連結孔１４６に係合されて矢印“P”で示す二方向の何れか一方向へプッシュ動作又はプル動作のハンドル操作をすると、スライドベース１４０がその中立位置から左右二方向における何れか一方向へ比較的少量の摺動を生じ、プッシュ又はプル操作がプッシュプル錠１００側へ伝達されるものである。なお、ハンドル９０は扉の内側と外側との両側にそれぞれ設けられるので、ハンドル連結孔１４６は図2に図示した一方側と、その反対の他方側との両部で夫々のハンドル９０の操作悍９５を受け入れる構成となっている。
【００３３】
ここで、図２と共に再び図１（イ）、（ロ）も参照すると、スライドベース１４０が、扉のハンドル９０よりその操作悍９５を経てプッシュ操作又はプル操作を伝達されると、スライドベース１４０は、その両操作に応じて図１(イ)の実線図示位置から破線で図示した位置１４０a又は１４０bへと摺動変位する。つまり、直線二方向における何れか一方向へ移動する。その際に、位置１４０aで示す前方位置へ直進すると、スライドベース１４０の上側の腕１４２が揺動カム１５０の上係合部１５３を押圧して同揺動カム１５０のピボット軸１５２回りに反時計方向の揺動回転を起動する。このとき、揺動カム１５０の揺動に応じてラッチカム１６０が戻りばね１７２のばね力に抗して短軸１６２の周りに時計周り方向に回動して同ラッチカム１６０が実線で示すその直立姿勢位置から破線１６０aで示す倒動位置へ回動し、この過程でガイドブロック１３０を押動する。故にガイドブロック１３０は、間座１２６のフランジ部との係合を介して直動悍１２２を押圧ばね１３４の押圧力に抗して図１（イ）で右向きに直動させる。この結果、直動悍１２２の先端に取り付けられたラッチ１１０がそのラッチ位置からケース１１２の内部に向けて後退してラッチを開錠する。すなわち、ラッチ機構１２０が開錠作用を行うものである。
【００３４】
上述した記載は、スライドベース１４０を中立位置からケース１１２の左端面側へ前進させて破線１４０aで示す位置へ摺動させた場合に就いて説明したが、同じくスライドベース１４０がハンドル９０（図２参照）によるプッシュ又はプル操作に応動して、その中立位置から上記と反対の方向、つまり破線１４０bで示す位置に向けて摺動すると、この摺動に従って揺動カム１５０の結合部１５４がスライドベース１４０で同方向へ引かれることとなる。その結果、揺動カム１５０はピボット軸１５２の周りに前述した場合と同じに反時計周り方向へ揺動回転する。従って、この揺動カム１５０の揺動回転により、ラッチカム１６０が戻りばね１７２の戻りばね力及び直動悍１２２の後端側の押圧ばね１３４による押圧力の両者に抗してその直立位置から傾動してガイドブロック１３０を介して直動悍１２２をケース１１２の内部で図１（イ）の右方向へと直動させる。故に同直動悍１２２の先端に取り付けられたラッチ１１０をそのラッチ位置からケース１１２の内部に向けて後退させて開錠を行うものである。
【００３５】
図３は、上述のようにして、本実施形態に係る扉用のプッシュプル錠１００におけるラッチ機構１２０のラッチ１１０が扉の端面からケース１１２の内部に後退した状態を示している。このような後退位置へラッチ１１０が後退動作する過程では、ラッチ１１０の端面が傾斜端面として形成されていることから、扉のストライク金具との当接、係合を介して同ラッチ１１０は更に後退動作を促進されるので、ラッチ機構１２０は開錠作用を行って扉のスムースな開扉を可能とし、かつ扉を閉扉したときにラッチ受け穴１０９（図1(ロ)参照）に円滑にラッチ１１０を突入させるものである。
【００３６】
そして、扉を閉める過程では、プッシュプル錠１００のラッチ機構１２０におけるラッチ１１０は、押圧ばね１３４や戻りばね１７２のばね力下で直動悍１２２がケース１１２内部で左方へ前進付勢されるため、同悍１２２の先端に取着したラッチ１１０もラッチ位置に向けて付勢され、閉扉位置に達したときには、ラッチ１１０はストライク金具及び受け穴と係合したラッチ位置へ完全に戻ることができる。
【００３７】
なお、図１から図３に図示のように、本発明の実施形態に係る扉用のプッシュプル錠１００においては、ケース１１２の内部にスライドベース１４０の後端部に形成した例えば、突起１４８から成るロック受動部が予め設けられ、このロック受動部の突起１４８は、スライドベース１４０がその中立位置に在るとき、ケース内部における同突起１４８と対向した後方領域に設けられたロック板８０が作動カム８２の回動によって下方へ引き下ろされると、同ロック板８０に形成された切り欠け形状の対応凹所８４から成るロック能動部に嵌入してスライドベース１４０の中立位置からの摺動を阻止するようにしたスライドロック機構が設けられている。
【００３８】
なお、上記作動カム８２は、棒状のカム押え８６を介してロックばね８８の押圧力を受け、同作動カム８２のカム突起８２aをロック板８０のロック溝８５におけるロック板引き上げ位置へ付勢されているが、同作動カム８２の中心域に形成されたカム回転孔８２bに扉の表面に装備された通常のロックハンドル（図示なし）の係合軸が係合されており、そのロックハンドルを人が回動させれば、そのロックハンドルの係合軸によって作動カム８２が回動され、故にカム突起８２aの押動によってロック板８０が下方の引き下ろし位置に向けて押されて下動する構成によって設けられている。
【００３９】
以上、本発明を一実施形態の図に基づき説明したが、本発明は、スライドベース１４０のような単一機械要素をその中立位置から相互に反対の二方向における任意の一方向へ扉のハンドルによるプッシュ操作又はプル操作に応動して摺動させれば、その摺動に応じて揺動カム、ラッチカムの二つの回動性カム要素を介してラッチ機構における直動悍の直動によるラッチ後退動作を起動し、ラッチを閉扉状態のラッチ位置から開錠位置へ後退させ得る簡単かつ操作自由度の高いプッシュプル錠を提供するものである。しかも、錠性を構成する諸要素は、部品点数が少なくかつ簡単に製造可能な機械的要素が利用されているので、コスト低減効果も著しい。
なお、図示実施形態に示したプッシュプル錠の各機械的要素の形状、構造は、図示のものに限定されるものではなく、当業者が本発明の技術思想の範囲内で種々改変、変更可能であることを理解すべきである。
【図面の簡単な説明】
【００４０】
【図１】（イ）は、本発明の一実施形態に係る扉用のプッシュプル錠をケースの蓋板を取り除いた状態で内部構成を示した正面図、（ロ）は、そのプッシュプル錠の下面側からラッチのラッチ位置への突出状態を示した一下面図、
【図２】図１に示した本実施形態に係る扉用のプッシュプル錠における内部構成要素の概略形状と構造とを示した分解斜視図、
【図３】図１に示した本実施形態に係る扉用のプッシュプル錠のラッチがラッチ位置から開錠位置へとケース内で後退せしめられた状態を示す図１（イ）と同様の正面図、
【図４】（イ）、（ロ）、（ハ）は従来の扉用のプッシュプル錠の構成と作用例とを示した略示正面図。
【符号の説明】
【００４１】
８０：ロック板
８２：作動カム
８２a :カム突起
８４:：凹所
８５:ロック溝
９０：ハンドル
９２:把手部
９４：フランジ
９５：操作悍
１００：プッシュプル錠
１０９：受け穴
１１０：ラッチ
１１２：ケース
１１２a：蓋板
１２０：ラッチ機構
１１４：開口
１２２：直動悍
１２６：間座
１２８：消音パッド
１３０:ガイドブロック
１３２:案内孔
１３４：押圧ばね
１４０：スライドベース
１４２：上側の腕
１４２a：先端
１４４：下側の腕
１４６：ハンドル連結孔
１４８：突起
１５０：揺動カム
１５２：ピボット軸
１５３：上係合部
１５４：結合部
１６０：ラッチカム
１６２：短軸
１６６：ラッチ作動部
１７２：戻りばね
１７０:ばね座突起
【図１】
2005336958.tif 000003
【図２】
2005336958.tif 000004
【図３】
2005336958.tif 000005
【図４】
2005336958.tif 000006